【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
基地局ＢＳ（ｂａｓｅ  ｓｔａｔｉｏｎ）が移動局ＭＳ（ｍｏｂｉｌｅ  ｓｔａｔｉｏｎ ）と通信するための方法であって、
少なくとも１つのアップリンクサウンディング基準シンボル（ｕｐｌｉｎｋ  ｓｏｕｎｄｉｎｇ  ｒｅｆｅｒｅｎｃｅ  ｓｙｍｂｏｌ、ＵＬ−ＳＲＳ）を含むアップリンクサウンディングチャネルを決定する過程と、
前記ＭＳに前記アップリンクサウンディングチャネルに関する情報を含むメッセージを送信する過程と、を含み、
前記少なくとも１つのＵＬ−ＳＲＳのシンボル間隔（ｉｎｔｅｒｖａｌ）は、データ伝送のためのシンボルのシンボル間隔と異なる方法。
【請求項２】
基地局ＢＳ（ｂａｓｅ  ｓｔａｔｉｏｎ）が移動局ＭＳ（ｍｏｂｉｌｅ  ｓｔａｔｉｏｎ）と通信するための方法であって、
少なくとも１つのアップリンクサウンディング基準シンボル（ｕｐｌｉｎｋ  ｓｏｕｎｄｉｎｇ  ｒｅｆｅｒｅｎｃｅ  ｓｙｍｂｏｌ、ＵＬ−ＳＲＳ）を含むアップリンクサウンディングチャネルを決定する過程と、
前記ＭＳに前記アップリンクチャネルに関する情報を含むメッセージを送信する過程と、を含み、
前記少なくとも１つのＵＬ−ＳＲＳは前記ＭＳの少なくとも１つの送信ビーム（ｔｒａｎｓｍｉｔ  ｂｅａｍ、Ｔｘ  ｂｅａｍ）を介して送信され、
前記少なくとも１つのＴｘビームの一部は、前記情報に応じて前記少なくとも１つのＵＬ−ＳＲＳで反復される方法。
【請求項３】
前記メッセージに基づいて前記アップリンクサウンディングチャネルで前記少なくとも１つのＵＬ−ＳＲＳを受信する過程をさらに含み、
前記ＭＳによって送信された第１選択されたビームに対応する前記少なくとも１つのＵＬ−ＳＲＳは全ての構成された反復が完了するまで多重サウンディング機会で反復され異なる受信ビームを用いて受信され、以後の選択されたビームは全ての構成された反復が受信されるまで多重サウンディング機会で反復され、
前記少なくとも１つのＵＬ−ＳＲＳの受信は構成された数のビーム及び前記構成された反復のための前記少なくとも１つのＵＬ−ＳＲＳが受信されるまで連続するサウンディング機会で続けられ、
前記構成された数のビームに対応する前記少なくとも１つのＵＬ−ＳＲＳは前記構成された数のビーム及び前記構成された数の反復のための全ての前記少なくとも１つのＵＬ−ＳＲＳが受信されるまで前記反復後に伴われる連続するサウンディング機会で受信される請求項２に記載の方法。
【請求項４】
前記ＭＳで多重デジタルチェーンは前記少なくとも１つのＵＬ−ＳＲＳが送信されるビームの構成された数を独立的に選択し、
前記ビームの構成された数に対応する前記少なくとも１つのＵＬ−ＳＲＳは、多数のビーム及び多数の反復のための前記少なくとも１つのＵＬ−ＳＲＳが全てのデジタルチェーンのために送信されるまで、同じサウンディング機会で互いに異なるリソースを用いて多重デジタルチェーンから送信及び反復され、
前記少なくとも１つのＵＬ−ＳＲＳは前記個数のビーム及び前記個数の反復の全てが全てのデジタルチェーンのために送信されるまで連続するサウンディング機会で前記多数のデジタルチェーンから送信される請求項３に記載の方法。
【請求項５】
基地局ＢＳ（ｂａｓｅ  ｓｔａｔｉｏｎ）が移動局ＭＳ（ｍｏｂｉｌｅ  ｓｔａｔｉｏｎ）と通信するための方法であって、
少なくとも１つの第１アップリンクサウンディング基準シンボル（ｕｐｌｉｎｋ  ｓｏｕｎｄｉｎｇ  ｒｅｆｅｒｅｎｃｅ  ｓｙｍｂｏｌ、ＵＬ−ＳＲＳ）を含む第１アップリンクサウンディングチャネル及び少なくとも１つの第２ＵＬ−ＳＲＳを含む第２アップリンクサウンディングチャネルを決定する過程と、
前記ＭＳに前記第１アップリンクサウンディングチャネル及び前記第２アップリンクサウンディングチャネルに関する情報を含むメッセージを送信する過程と、を含み、
少なくとも１つの第１ＵＬ−ＳＲＳ及び前記少なくとも１つの第２ＵＬ−ＳＲＳは前記ＭＳの少なくとも１つの送信ビーム（ｔｒａｎｓｍｉｔ  ｂｅａｍ、Ｔｘ  ｂｅａｍ）を介して送信され、
前記少なくとも１つの第１ＵＬ−ＳＲＳは少なくとも１つの受信ビーム（ｒｅｃｅｉｖｅ  ｂｅａｍ、Ｒｘ  ｂｅａｍ）を介して前記ＢＳから受信され、
前記少なくとも１つの第２ＵＬ−ＳＲＳは前記少なくとも１つのＲｘビームのサブセット（ｓｕｂｓｅｔ）を介して前記ＭＳから受信される方法。
【請求項６】
前記第1サウンディングチャネルは前記第２サウンディングチャネルより大きな周期性を有するように構成される請求項５に記載の方法。
【請求項７】
前記第１アップリンクサウンディングチャネルは前記第２アップリンクサウンディングチャネルより優先し、
前記以前に構成されたアップリンクチャネルに加えて第３アップリンクサウンディングチャネルが０の周期性を有するように構成され、
前記第３アップリンクチャネルは前記ＭＳに対して前記以前に構成されたアップリンクチャネルとは異なる構成パラメータを含み、
前記第３アップリンクサウンディングチャネルは新しいサウンディングチャネル割り当てを指示するために別のフィールドを使用する請求項５に記載の方法。
【請求項８】
移動局ＭＳ（ｍｏｂｉｌｅ  ｓｔａｔｉｏｎ）が基地局ＢＳ（ｂａｓｅ  ｓｔａｔｉｏｎ）と通信するための方法であって、
前記ＢＳからアップリンクサウンディングチャネルに関する情報を含むメッセージを受信する過程を含み、
前記アップリンクサウンディングチャネルは少なくとも１つのアップリンクサウンディング基準シンボル（ｕｐｌｉｎｋ  ｓｏｕｎｄｉｎｇ  ｒｅｆｅｒｅｎｃｅ  ｓｙｍｂｏｌ、ＵＬ−ＳＲＳ）を含み、
前記少なくとも１つのＵＬ−ＳＲＳのシンボル間隔（ｉｎｔｅｒｖａｌ）は、データ伝送のためのシンボルのシンボル間隔と異なる方法。
【請求項９】
移動局ＭＳ（ｍｏｂｉｌｅ  ｓｔａｔｉｏｎ）が基地局ＢＳ（ｂａｓｅ  ｓｔａｔｉｏｎ）と通信するための方法であって、
前記基地局からアップリンクサウンディングチャネルに関する情報を含むメッセージを受信する過程を含み、
前記アップリンクチャネルは少なくとも１つのアップリンクサウンディング基準シンボル（ｕｐｌｉｎｋ  ｓｏｕｎｄｉｎｇ  ｒｅｆｅｒｅｎｃｅ  ｓｙｍｂｏｌ、ＵＬ−ＳＲＳ）を含み、
前記少なくとも１つのＵＬ−ＳＲＳは前記ＭＳの少なくとも１つの送信ビーム（ｔｒａｎｓｍｉｔ  ｂｅａｍ、Ｔｘ  ｂｅａｍ）を介して送信され、
前記少なくとも１つのＴｘビームの一部は、前記情報に応じて前記少なくとも１つのＵＬ−ＳＲＳで反復される方法。
【請求項１０】
前記メッセージに基づく前記サウンディングチャネルで前記少なくとも１つのＵＬ−ＳＲＳを送信する過程をさらに含み、
第１選択されたビームに対応する前記少なくとも１つのＵＬ−ＳＲＳは、全ての構成された反復が完了するまで多重サウンディング機会で反復され、異なる受信ビームを用いて前記ＢＳによって受信され、次の選択されたビームは全ての構成された反復が送信されるまで多重サウンディング機会で反復され、
前記少なくとも１つのＵＬ−ＳＲＳの送信は構成された数のビーム及び前記構成された反復のための前記少なくとも１つのＵＬ−ＳＲＳが送信されるまで連続するサウンディング機会で続けられ、
前記構成された数のビームに対応する前記少なくとも１つのＵＬ−ＳＲＳは前記構成された数のビーム及び前記構成された反復のための全ての前記少なくとも１つのＵＬ−ＳＲＳが送信されるまで前記反復後に伴われる連続するサウンディング機会で送信される請求項９に記載の方法。
【請求項１１】
前記ＭＳで多重デジタルチェーンは前記少なくとも１つのＵＬ−ＳＲＳが送信されるビームの構成された数を独立的に選択し、
前記ビームの構成された数に対応する前記少なくとも１つのＵＬ−ＳＲＳは、多数のビーム及び多数の反復のための前記少なくとも１つのＵＬ−ＳＲＳが全てのデジタルチェーンのために送信されるまで、同じサウンディング機会で互いに異なるリソースを用いて多重デジタルチェーンから送信及び反復され、
前記少なくとも１つのＵＬ−ＳＲＳは前記個数のビーム及び前記個数の反復の全てが全てのデジタルチェーンのために送信されるまで連続するサウンディング機会で前記多数のデジタルチェーンから送信される請求項１０に記載の方法。
【請求項１２】
移動局ＭＳ（ｍｏｂｉｌｅ  ｓｔａｔｉｏｎ）が基地局ＢＳ（ｂａｓｅ  ｓｔａｔｉｏｎ）と通信するための方法であって、
前記ＢＳから前記第１アップリンクサウンディングチャネル及び前記第２アップリンクサウンディングチャネルに関する情報を含むメッセージを受信する過程を含み、
前記第１アップリンクサウンディングチャネルは少なくとも１つの第１アップリンクサウンディング基準シンボル（ｕｐｌｉｎｋ  ｓｏｕｎｄｉｎｇ  ｒｅｆｅｒｅｎｃｅ  ｓｙｍｂｏｌ、ＵＬ−ＳＲＳ）を含み、前記第２アップリンクサウンディングチャネルは少なくとも１つの第２ＵＬ−ＳＲＳを含み、
前記少なくとも１つの第１ＵＬ−ＳＲＳ及び前記少なくとも１つの第２ＵＬ−ＳＲＳは前記ＭＳの少なくとも１つの送信ビーム（ｔｒａｎｓｍｉｔ  ｂｅａｍ、Ｔｘ  ｂｅａｍ）を介して送信され、
前記少なくとも１つの第１ＵＬ−ＳＲＳは前記ＢＳの少なくとも１つの受信ビーム（ｒｅｃｅｉｖｅ  ｂｅａｍ、Ｒｘ  ｂｅａｍ）を介して前記ＢＳによって受信され、
前記少なくとも１つの第２ＵＬ−ＳＲＳは前記ＢＳの少なくとも１つのＲｘビームのサブセット（ｓｕｂｓｅｔ）を介して前記ＢＳによって受信される方法。
【請求項１３】
前記第1サウンディングチャネルは前記第２サウンディングチャネルより大きな周期性を有するように構成される請求項１２に記載の方法。
【請求項１４】
前記第１アップリンクサウンディングチャネルは前記第２アップリンクサウンディングチャネルより優先し、
前記以前に構成されたアップリンクチャネルに加えて第３アップリンクサウンディングチャネルが０の周期性を有するように構成され、
前記第３アップリンクチャネルは前記ＭＳに対して前記以前に構成されたアップリンクチャネルとは異なる構成パラメータを含み、
前記第３アップリンクサウンディングチャネルは新しいサウンディングチャネル割り当てを指示するために別のフィールドを使用する請求項１２に記載の方法。
【請求項１５】
基地局ＢＳ（ｂａｓｅ  ｓｔａｔｉｏｎ）と通信するための移動局ＭＳ（ｍｏｂｉｌｅ  ｓｔａｔｉｏｎ）であって、
前記ＢＳからアップリンクサウンディングチャネルに関する情報を含むメッセージを受信するように構成された受信処理回路を含み、
前記アップリンクサウンディングチャネルは少なくとも１つのアップリンクサウンディング基準シンボル（ｕｐｌｉｎｋ  ｓｏｕｎｄｉｎｇ  ｒｅｆｅｒｅｎｃｅ  ｓｙｍｂｏｌ、ＵＬ−ＳＲＳ）を含み、
前記少なくとも１つのＵＬ−ＳＲＳのシンボル間隔（ｉｎｔｅｒｖａｌ）は、データ伝送のためのシンボルのシンボル間隔と異なるＭＳ。
【請求項１６】
基地局ＢＳと通信するための移動局ＭＳであって、
前記基地局からアップリンクサウンディングチャネルに関する情報を含むメッセージを受信するように構成された受信処理回路を含み、
前記アップリンクサウンディングチャネルは少なくとも１つのアップリンクサウンディング基準シンボル（ｕｐｌｉｎｋ  ｓｏｕｎｄｉｎｇ  ｒｅｆｅｒｅｎｃｅ  ｓｙｍｂｏｌ、ＵＬ−ＳＲＳ）を含み、
前記少なくとも１つのＵＬ−ＳＲＳは前記ＭＳの少なくとも１つの送信ビーム（ｔｒａｎｓｍｉｔ  ｂｅａｍ、Ｔｘ  ｂｅａｍ）を介して送信され、
前記少なくとも１つのＴｘビームの一部は、前記情報に応じて前記少なくとも１つのＵＬ−ＳＲＳで反復されるＭＳ。
【請求項１７】
前記メッセージに基づく前記サウンディングチャネルで前記少なくとも１つのＵＬ−ＳＲＳを送信するように構成された送信処理回路をさらに含み、
第１選択されたビームに対応する前記少なくとも１つのＵＬ−ＳＲＳは、全ての構成された反復が完了するまで多重サウンディング機会で反復され、異なる受信ビームを用いて前記ＢＳによって受信され、次の選択されたビームは全ての構成された反復が受信されるまで多重サウンディング機会で反復され、
前記少なくとも１つのＵＬ−ＳＲＳの送信は構成された数のビーム及び前記構成された反復のための前記少なくとも１つのＵＬ−ＳＲＳが送信されるまで連続するサウンディング機会で続けられ、
前記構成された数のビームに対応する前記少なくとも１つのＵＬ−ＳＲＳは前記構成された数のビーム及び前記構成された反復のための全ての前記少なくとも１つのＵＬ−ＳＲＳが送信されるまで前記反復後に伴われる連続するサウンディング機会で送信される請求項１６に記載のＭＳ。
【請求項１８】
前記ＭＳで多重デジタルチェーンは前記少なくとも１つのＵＬ−ＳＲＳが送信されるビームの構成された数を独立的に選択し、
前記ビームの構成された数に対応する前記少なくとも１つのＵＬ−ＳＲＳは、多数のビーム及び多数の反復のための前記少なくとも１つのＵＬ−ＳＲＳが全てのデジタルチェーンのために送信されるまで、同じサウンディング機会で互いに異なるリソースを用いて多重デジタルチェーンから送信及び反復され、
前記少なくとも１つのＵＬ−ＳＲＳは前記個数のビーム及び前記個数の反復の全てが全てのデジタルチェーンのために送信されるまで連続するサウンディング機会で前記多数のデジタルチェーンから送信される請求項１７に記載のＭＳ。
【請求項１９】
基地局ＢＳと通信するための移動局ＭＳであって、
前記ＢＳから第１アップリンクサウンディングチャネル及び第２アップリンクサウンディングチャネルに関する情報を含むメッセージを受信するように構成された受信処理回路を含み、
前記第１アップリンクサウンディングチャネルは少なくとも１つの第１アップリンクサウンディング基準シンボル（ｕｐｌｉｎｋ  ｓｏｕｎｄｉｎｇ  ｒｅｆｅｒｅｎｃｅ  ｓｙｍｂｏｌ、ＵＬ−ＳＲＳ）を含み、前記第2アップリンクサウンディングチャネルは少なくとも１つの第２ＵＬ−ＳＲＳを含み、
前記少なくとも１つの第１ＵＬ−ＳＲＳ及び前記少なくとも１つの第２ＵＬ−ＳＲＳは前記ＭＳの少なくとも１つの送信ビーム（ｔｒａｎｓｍｉｔ  ｂｅａｍ、Ｔｘ  ｂｅａｍ）を介して送信され、
前記少なくとも１つの第１ＵＬ−ＳＲＳは前記ＢＳの少なくとも１つの受信ビーム（ｒｅｃｅｉｖｅ  ｂｅａｍ、Ｒｘ  ｂｅａｍ）を介して前記ＢＳによって受信され、
前記少なくとも１つの第２ＵＬ−ＳＲＳは前記ＢＳの少なくとも１つのＲｘビームのサブセット（ｓｕｂｓｅｔ）を介して前記ＢＳによって受信されるＭＳ。
【請求項２０】
前記第１サウンディングチャネルは前記第２サウンディングチャネルより大きな周期性を有するように構成される請求項１９に記載のＭＳ。
【請求項２１】
前記第１アップリンクサウンディングチャネルは前記第２アップリンクサウンディングチャネルより優先し、
前記以前に構成されたアップリンクチャネルに加えて第３アップリンクサウンディングチャネルが０の周期性を有するように構成され、
前記第３アップリンクサウンディングチャネルは前記ＭＳに対して前記以前に構成されたアップリンクチャネルとは異なる構成パラメータを含み、
前記第３アップリンクサウンディングチャネルは新しいサウンディングチャネル割り当てを指示するために別のフィールドを使用する請求項１９に記載のＭＳ。
【請求項２２】
移動局ＭＳと通信するための基地局ＢＳであって、
少なくとも１つのアップリンクサウンディング基準シンボル（ｕｐｌｉｎｋ  ｓｏｕｎｄｉｎｇ  ｒｅｆｅｒｅｎｃｅ  ｓｙｍｂｏｌ、ＵＬ−ＳＲＳ）を含むアップリンクサウンディングチャネルを決定するように構成された１つ以上のプロセッサ；及び
前記ＭＳに前記アップリンクサウンディングチャネルに関する情報を含むメッセージを送信するように構成された送信処理回路を含み、
前記少なくとも１つのＵＬ−ＳＲＳのシンボル間隔（ｉｎｔｅｒｖａｌ）は、データ伝送のためのシンボルのシンボル間隔と異なるＢＳ。
【請求項２３】
移動局ＭＳ（ｍｏｂｉｌｅ  ｓｔａｔｉｏｎ）と通信するための基地局ＢＳ（ｂａｓｅ  ｓｔａｔｉｏｎ）であって、
少なくとも１つのアップリンクサウンディング基準シンボル（ｕｐｌｉｎｋ  ｓｏｕｎｄｉｎｇ  ｒｅｆｅｒｅｎｃｅ  ｓｙｍｂｏｌ、ＵＬ−ＳＲＳ）を含むアップリンクサウンディングチャネルを決定するように構成された１つ以上のプロセッサと、
前記ＭＳに前記アップリンクチャネルに関する情報を含むメッセージを送信するように構成された送信処理回路と、を含み、
前記少なくとも１つのＵＬ−ＳＲＳは前記ＭＳの少なくとも１つの送信ビーム（ｔｒａｎｓｍｉｔ  ｂｅａｍ、Ｔｘ  ｂｅａｍ）を介して送信され、
前記少なくとも１つのＴｘビームの一部は、前記情報に応じて前記少なくとも１つのＵＬ−ＳＲＳで反復されるＢＳ。
【請求項２４】
前記メッセージに基づいて前記アップリンクサウンディングチャネルで前記少なくとも１つのＵＬ−ＳＲＳを受信するように構成された受信処理回路をさらに含み、
前記ＭＳによって送信された第１選択されたビームに対応する前記少なくとも１つのＵＬ−ＳＲＳは全ての構成された反復が完了するまで多重サウンディング機会で反復され異なる受信ビームを用いて受信され、以後の選択されたビームは全ての構成された反復が受信されるまで多重サウンディング機会で反復され、
前記少なくとも１つのＵＬ−ＳＲＳの受信は構成された数のビーム及び前記構成された反復のための前記少なくとも１つのＵＬ−ＳＲＳが受信されるまで連続するサウンディング機会で続けられ、
前記構成された数のビームに対応する前記少なくとも１つのＵＬ−ＳＲＳは前記構成された数のビーム及び前記構成された数の反復のための全ての前記少なくとも１つのＵＬ−ＳＲＳが受信されるまで前記反復後に伴われる連続するサウンディング機会で受信される請求項２３に記載のＢＳ。
【請求項２５】
前記ＭＳで多重デジタルチェーンは前記少なくとも１つのＵＬ−ＳＲＳが送信されるビームの構成された数を独立的に選択し、
前記ビームの構成された数に対応する前記少なくとも１つのＵＬ−ＳＲＳは、多数のビーム及び多数の反復のための前記少なくとも１つのＵＬ−ＳＲＳが全てのデジタルチェーンのために送信されるまで、同じサウンディング機会で互いに異なるリソースを用いて多重デジタルチェーンから送信及び反復され、
前記少なくとも１つのＵＬ−ＳＲＳは前記個数のビーム及び前記個数の反復の全てが全てのデジタルチェーンのために送信されるまで連続するサウンディング機会で前記多数のデジタルチェーンから送信される請求項２４に記載のＢＳ。
【請求項２６】
移動局ＭＳ（ｍｏｂｉｌｅ  ｓｔａｔｉｏｎ）と通信するための基地局ＢＳ（ｂａｓｅ  ｓｔａｔｉｏｎ）であって、
少なくとも１つの第１アップリンクサウンディング基準シンボル（ｕｐｌｉｎｋ  ｓｏｕｎｄｉｎｇ  ｒｅｆｅｒｅｎｃｅ  ｓｙｍｂｏｌ、ＵＬ−ＳＲＳ）を含む第１アップリンクサウンディングチャネル及び少なくとも１つの第２ＵＬ−ＳＲＳを含む第２アップリンクサウンディングチャネルを決定するように構成された１つ以上のプロセッサと、
前記ＭＳに前記第１アップリンクサウンディングチャネル及び前記第２アップリンクサウンディングチャネルに関する情報を含むメッセージを送信するように構成された送信処理回路と、を含み、
前記少なくとも１つの第１ＵＬ−ＳＲＳ及び前記少なくとも１つの第２ＵＬ−ＳＲＳは前記ＭＳの少なくとも１つの送信ビーム（ｔｒａｎｓｍｉｔ  ｂｅａｍ、Ｔｘ  ｂｅａｍ）を介して送信され、
前記少なくとも１つの第１ＵＬ−ＳＲＳは少なくとも１つの受信ビーム（ｒｅｃｅｉｖｅ  ｂｅａｍ、Ｒｘ  ｂｅａｍ）を介して前記ＭＳから受信され、
前記少なくとも１つの第２ＵＬ−ＳＲＳは前記少なくとも１つのＲｘビームのサブセット（ｓｕｂｓｅｔ）を介して前記ＭＳから受信されるＢＳ。
【請求項２７】
前記第１サウンディングチャネルは前記第２サウンディングチャネルより大きな周期性を有するように構成される請求項２６に記載のＢＳ。
【請求項２８】
前記第１アップリンクサウンディングチャネルは前記第２アップリンクサウンディングチャネルより優先し、
前記以前に構成されたアップリンクチャネルに加えて第３アップリンクチャネルサウンディングチャネルが０の周期性を有するように構成され、
前記第３アップリンクチャネルは前記ＭＳに対して前記以前に構成されたアップリンクチャネルとは異なる構成パラメータを含み、
前記第３アップリンクサウンディングチャネルは新しいサウンディングチャネル割り当てを指示するために別のフィールドを使用する請求項２６に記載のＢＳ。